(57)【要約】【課題】使用者がベッド上でベッドの傾斜角度を調整でき、しかも極度な低さまで調整でき、ベッドから床に落ちても大きなけがをしない健康ベッドを提供すること。【解決手段】一つのヘッドボード座、一つのヘッドボード、一つのフットボード座、一つのフットボード、一つのボトムおよび二つの高さ調整装置を含み、高さ調整装置は一つの連動バーユニット、一つの第一螺旋ガイドポール、一つの第二螺旋ガイドポール及び一つのモーターギアセットを含み、連動バーユニットの上端はヘッドボードにつながっており、連動バーユニットの下端はヘッドボード座につながっていて、第一螺旋ガイドポールと第二螺旋ガイドポールはそれぞれの螺旋部分は第一スライダーと第二スライダーの螺旋ホールを通してあり、第一スライダーと第二スライダーはそれぞれ連動バーユニットにつながっており、モーターギアセットは同時に第一螺旋ガイドポールと第二螺旋ガイドポールを駆動できる。【選択図】図２Ａ
0003130840.tif 000002
【実用新案登録請求の範囲】
【請求項１】
一種の超低式電動健康べッドで、
一つのヘッドボード座と一つのフットボード座と一つのボトムと二組の高さ調整装置とを含み、
前記一つのヘッドボード座は、そのヘッドボード座には一つのガイドがあり、
前記一つのフットボード座はガイドを具備して、ヘッドボード座と相対する位置にあり、
前記一つのボトムはヘッドボード座のガイドとフットボード座のガイドにかぶせてあり、
前記二組の高さ調整装置は、それぞれボトムとヘッドボード座の間及びボトムとフットボード座の間に設置されていて、
前述の二組の高さ調整装置の同時作動に伴い、ボトムの床からの高さ調整が可能で、かつ、高さ調整時にボトムを床と平行に保つことが可能に構成されていることを特徴とする、
超低式電動健康べッド。
【請求項２】
請求項１において、前記高さ調整装置は、一つの連動バーユニットと一つの第一螺旋ガイドポールと一つの第二螺旋ガイドポールと一つのモーターギアセットとを含み、前記一つの連動バーユニットは一つの第一連動バーと、一つの第二連動バーと、一つの第三連動バー及び一つの第四連動バーからできており、その第一連動バーと第二連動バーの上端はそれぞれボトムにつながっており、第一連動バーと第二連動バーの下端はそれぞれ下方の第三連動バーと第四連動バーの二つの対応する端につながっており、その第三連動バーと第四連動バーの下端はそれぞれヘッドボード座につながっており、第一連動バーと第三連動バーの結合部分に一つの第一スライダーが付いていて、第一スライダーには一つの第一螺旋ホールが付いていて、第二連動バーと第四連動バーの結合部分には一つの第二スライダーが付いていて、第二スライダーには一つの第二螺旋ホールが付いて、第二螺旋ホールには第一螺旋ホールと反対方向の螺旋が切ってあり、前記一つの第一螺旋ガイドポールはその螺旋部分が第一螺旋ホールを通してあり、前記一つの第二螺旋ガイドポールはその螺旋部分が第二螺旋ホールを通してあり、第二螺旋ガイドポールには第一螺旋ガイドポールと反対方向の螺旋があり、前記一つのモーターギアセットは第一螺旋ガイドポールと第二螺旋ガイドポールを同時に駆動でき、第一スライダーと第二スライダーをそれぞれ第一螺旋ガイドポールと第二螺旋ガイドポール上を移動させてボトムの床からの高さ調整を可能に構成されていることを特徴とする、超低式電動健康べッド。
【請求項３】
請求項１において、前記上述のボトムは少なくとも一つの調整可能なボードと一つの旋回バーと一つのモーターとを含み、前記調整可能なボードには少なくとも一つのガイド及び一つの軸部があり、軸部はボトムにつながっており、調整可能なボードは軸部を中心に旋回し、前記旋回バーの一端には一ローラーがあり、旋回バーのもう一方には一つの旋回軸部及び一つのギアがあり、旋回軸部はボトムにつながっており、旋回バーは旋回軸部を中心に旋回し、前記モーターはボトムの一つのくぼんだ部分に設置されていて、モーターは一つのモーターギアにより驅動設旋回バーにあるギアを駆動し、旋回バーは旋回軸部を中心に旋回し、旋回バーにあるローラーにより、調整可能なボードのガイドが持ち上げられ、ボードの傾斜角度が調整可能に構成されていることを特徴とする、超低式電動健康べッド。
【請求項４】
請求項３において、前記ギアがウオームギアであることを特徴とする、超低式電動健康べッド。
【請求項５】
請求項３において、前記モーターギアがシャフトウォームギアであることを特徴とする、超低式電動健康べッド。
【請求項６】
請求項１において、一つのヘッドボード一つのフットボードを追加して含み、前記ヘッドボードはボトムの一つのガイドにかぶせてあり、そのヘッドボードはガイドに沿ってスライド可能であり、前記フットボードはボトムの一つのガイドにかぶせてあり、そのフットボードはガイドに沿ってスライドし、高さ調整装置は、それぞれヘッドボードとボトムとヘッドボード座の間及びフットボードとボトムとフットボード座の間に設置されていることを特徴とする、超低式電動健康べッド。
【請求項７】
請求項６において、前記高さ調整装置は一つの第一スライダーと一つの第二スライダーと一つの第一連動バーユニットと一つの第二連動バーユニットと一つの第三連動バーユニットと一つの第四連動バーユニットと一つの高さ調整螺旋ガイドポールと一つのモーターギアセットとを含み、前記第一スライダーはボトムの一つのガイドバーの上にかぶせてあり、第一スライダーはガイドバーに沿って移動し、前記第二スライダーはボトムのガイドバーの上にかぶせてあり、第二スライダーはガイドバーに沿って移動し、前記第一連動バーユニットはヘッドボード座とボトムの間につながっており、前記第一連動バーユニットは一第一連動バーと一第二連動バーを含み、第一連動バーの一端は第一スライダーにつながっており、第一連動バーのもう一方の端はヘッドボード座につながっており、第二連動バーの一端はボトムにつながっており、第二連動バーのもう一方の端は第一連動バーにつながっていて、前記第二連動バーユニットはヘッドボード座とボトムの間につながっており、第一連動バーの一端は第二スライダーにつながっており、第一連動バーの一端はヘッドボード座につながっており、第二連動バーの一端はボトムにつながっており、第二連動バーの一端は第一連動バーにつながっており、前記第三連動バーユニットはヘッドボードとボトムの間につながっており、その第三連動バーユニットは一つの第一連動バーと一第二連動バーを含み、第一連動バーの一端は第一スライダーにつながっており、第一連動バーの一端はヘッドボードにつながっており、第二連動バーの一端はボトムにつながっており、第二連動バーのもう一方の端は第一連動バーにつながっていて、前記第四連動バーユニットはヘッドボードとボトムの間につながっており、第四連動バーユニットは一つの第一連動バーと一第二連動バーを含み、第一連動バーの一端は第二スライダーにつながっており、第一連動バーのもう一方の端はヘッドボードにつながっており、第二連動バーの一端はボトムにつながっており、第二連動バーのもう一方端は第一連動バーにつながっており、前記高さ調整螺旋ガイドポールの螺旋部分はボトムのガイドバーの一つの螺旋ホールを通してあり、前記モーターギアセットはヘッドボード座に設置されていて、モーターギアセットは高さ調整螺旋ガイドポールへつながっており、モーターギアセットが高さ調整螺旋ガイドポールを駆動し旋回させることにより、ボトムの床からの高さが調整でき、第一連動バーユニットと第二連動バーユニットと第三連動バーユニットと第四連動バーユニットと第一スライダー及び第二スライダーの同時の動作により、ヘッドボードの床からの高さも同時に調整可能に構成されていることを特徴とする、超低式電動健康べッド。
【請求項８】
請求項６において、前記ボトムは少なくとも一つの調整可能なボードと一つの旋回バーと一つのモーターとを含み、前記調整可能なボードは少なくとも一つのガイドと一軸部があり、軸部はボトムにつながっていて、調整可能なボードが軸部を中心に旋回できるようになっていて、前記旋回バーの一端には一つのローラーがあり、この旋回バーのもう一端には一つの旋回軸部と一つのギアがあり、この旋回軸部はボトムにつながっており、旋回バーが旋回軸部を中心に旋回できるようになっており、前記モーターはボトムの凹陷部に設置してあり、このモーターは一つのモーターギアにより旋回バーにあるギアを駆動することで、回バーが旋回軸部を中心に旋回し、旋回バーにあるローラーにより調整可能なボードのガイドが持ち上げられて、ボードの傾斜角度が調整可能に構成されていることを特徴とする、超低式電動健康べッド。
【請求項９】
請求項８において、前記ギアがウオームホイールであることを特徴とする、超低式電動健康べッド。
【請求項１０】
請求項８において、前記モーターギアがウオームギアであることを特徴とする、超低式電動健康べッド。
【考案の詳細な説明】
【技術分野】
【０００１】
本考案は、一種の超低式電動健康べッドに関するもので、特に連動バー機構によりボードの高さの調整ができる電動健康ベッドに関するものである。
【背景技術】
【０００２】
一般の健康ベッドはその構造設計上、使用者の食事や読書をしやすくするために、普通はその床頭部位の傾斜角度が調整できるように設計されている。
手動の操作により簡単な操作バー機構の傾き角度を調整できて、楽な仰向けの姿勢になったり、食事を取ったり読書する姿勢になったりすることができる。
しかし、健康ベッドの調整機構は、使用者が健康ベッドの上から操作することができず、調整に他の人の手助けが必要である。不便な点はいろいろあるが、特に歩行の不自由な人にとっては、楽な仰向けの姿勢になったり、食事を取ったり読書する姿勢になったりするために、ベッドをおりてその調整機構を使うことはとても不便である。
一般の健康ベッドの高さは固定されており、歩行の不自由な使用者にとっては、ベッドに上がる下りるの動作はとても困難である。
特に足の不自由な人がベッドから車椅子へ移動する動作は、ベッドの高さが適当でないととても不便なものである。
さらに一般の健康ベッドのベッドサイドには使用者が睡眠中にベッドから床に転落するのを防止するガードがあるとは限らない。そのため、一般の健康ベッドの高さから床に落ちたときには使用者がけがをする。
特に年配の方では骨折、或いはもっと大きな傷害につながる可能性がある。
このような健康ベッドの持つ欠点を考え、使用者がベッドの上で傾斜角度を調整でき、高さを極度に低くでき、ベッドから床に落ちても大きなけがをしない健康ベッドの提案が望まれている。
【考案の開示】
【考案が解決しようとする課題】
【０００３】
本考案の目的は、使用者がベッド上で傾斜角度を調整でき、しかも極度な低さまで調整でき、ベッドから床に落ちても大きなけがをしない健康ベッドを提供することにある。
【課題を解決するための手段】
【０００４】
本願の第１考案は、一種の超低式電動健康べッドで、一つのヘッドボード座と一つのフットボード座と一つのボトムと二組の高さ調整装置とを含み、前記一つのヘッドボード座は、そのヘッドボード座には一つのガイドがあり、前記一つのフットボード座はガイドを具備して、ヘッドボード座と相対する位置にあり、前記一つのボトムはヘッドボード座のガイドとフットボード座のガイドにかぶせてあり、前記二組の高さ調整装置は、それぞれボトムとヘッドボード座の間及びボトムとフットボード座の間に設置されていて、前述の二組の高さ調整装置の同時作動に伴い、ボトムの床からの高さ調整が可能で、かつ、高さ調整時にボトムを床と平行に保つことが可能に構成されていることを特徴とする、超低式電動健康べッドを提供する。
本願の第２考案は、前記第１考案において、前記高さ調整装置は、一つの連動バーユニットと一つの第一螺旋ガイドポールと一つの第二螺旋ガイドポールと一つのモーターギアセットとを含み、前記一つの連動バーユニットは一つの第一連動バーと、一つの第二連動バーと、一つの第三連動バー及び一つの第四連動バーからできており、その第一連動バーと第二連動バーの上端はそれぞれボトムにつながっており、第一連動バーと第二連動バーの下端はそれぞれ下方の第三連動バーと第四連動バーの二つの対応する端につながっており、その第三連動バーと第四連動バーの下端はそれぞれヘッドボード座につながっており、第一連動バーと第三連動バーの結合部分に一つの第一スライダーが付いていて、第一スライダーには一つの第一螺旋ホールが付いていて、第二連動バーと第四連動バーの結合部分には一つの第二スライダーが付いていて、第二スライダーには一つの第二螺旋ホールが付いて、第二螺旋ホールには第一螺旋ホールと反対方向の螺旋が切ってあり、前記一つの第一螺旋ガイドポールはその螺旋部分が第一螺旋ホールを通してあり、前記一つの第二螺旋ガイドポールはその螺旋部分が第二螺旋ホールを通してあり、第二螺旋ガイドポールには第一螺旋ガイドポールと反対方向の螺旋があり、前記一つのモーターギアセットは第一螺旋ガイドポールと第二螺旋ガイドポールを同時に駆動でき、第一スライダーと第二スライダーをそれぞれ第一螺旋ガイドポールと第二螺旋ガイドポール上を移動させてボトムの床からの高さ調整を可能に構成されていることを特徴とする、超低式電動健康べッドを提供する。
本願の第３考案は、前記第１考案において、前記上述のボトムは少なくとも一つの調整可能なボードと一つの旋回バーと一つのモーターとを含み、前記調整可能なボードには少なくとも一つのガイド及び一つの軸部があり、軸部はボトムにつながっており、調整可能なボードは軸部を中心に旋回し、前記旋回バーの一端には一ローラーがあり、旋回バーのもう一方には一つの旋回軸部及び一つのギアがあり、旋回軸部はボトムにつながっており、旋回バーは旋回軸部を中心に旋回し、前記モーターはボトムの一つのくぼんだ部分に設置されていて、モーターは一つのモーターギアにより驅動設旋回バーにあるギアを駆動し、旋回バーは旋回軸部を中心に旋回し、旋回バーにあるローラーにより、調整可能なボードのガイドが持ち上げられ、ボードの傾斜角度が調整可能に構成されていることを特徴とする、超低式電動健康べッドを提供する。
本願の第４考案は、前記第３考案において、前記ギアがウオームギアであることを特徴とする、超低式電動健康べッドを提供する。
本願の第５考案は、前記第３考案において、前記モーターギアがシャフトウォームギアであることを特徴とする、超低式電動健康べッドを提供する。
本願の第６考案は、前記第１考案において、一つのヘッドボード一つのフットボードを追加して含み、前記ヘッドボードはボトムの一つのガイドにかぶせてあり、そのヘッドボードはガイドに沿ってスライド可能であり、前記フットボードはボトムの一つのガイドにかぶせてあり、そのフットボードはガイドに沿ってスライドし、高さ調整装置は、それぞれヘッドボードとボトムとヘッドボード座の間及びフットボードとボトムとフットボード座の間に設置されていることを特徴とする、超低式電動健康べッドを提供する。
本願の第７考案は、前記第６考案において、前記高さ調整装置は一つの第一スライダーと一つの第二スライダーと一つの第一連動バーユニットと一つの第二連動バーユニットと一つの第三連動バーユニットと一つの第四連動バーユニットと一つの高さ調整螺旋ガイドポールと一つのモーターギアセットとを含み、前記第一スライダーはボトムの一つのガイドバーの上にかぶせてあり、第一スライダーはガイドバーに沿って移動し、前記第二スライダーはボトムのガイドバーの上にかぶせてあり、第二スライダーはガイドバーに沿って移動し、前記第一連動バーユニットはヘッドボード座とボトムの間につながっており、前記第一連動バーユニットは一第一連動バーと一第二連動バーを含み、第一連動バーの一端は第一スライダーにつながっており、第一連動バーのもう一方の端はヘッドボード座につながっており、第二連動バーの一端はボトムにつながっており、第二連動バーのもう一方の端は第一連動バーにつながっていて、前記第二連動バーユニットはヘッドボード座とボトムの間につながっており、第一連動バーの一端は第二スライダーにつながっており、第一連動バーの一端はヘッドボード座につながっており、第二連動バーの一端はボトムにつながっており、第二連動バーの一端は第一連動バーにつながっており、前記第三連動バーユニットはヘッドボードとボトムの間につながっており、その第三連動バーユニットは一つの第一連動バーと一第二連動バーを含み、第一連動バーの一端は第一スライダーにつながっており、第一連動バーの一端はヘッドボードにつながっており、第二連動バーの一端はボトムにつながっており、第二連動バーのもう一方の端は第一連動バーにつながっていて、前記第四連動バーユニットはヘッドボードとボトムの間につながっており、第四連動バーユニットは一つの第一連動バーと一第二連動バーを含み、第一連動バーの一端は第二スライダーにつながっており、第一連動バーのもう一方の端はヘッドボードにつながっており、第二連動バーの一端はボトムにつながっており、第二連動バーのもう一方端は第一連動バーにつながっており、前記高さ調整螺旋ガイドポールの螺旋部分はボトムのガイドバーの一つの螺旋ホールを通してあり、前記モーターギアセットはヘッドボード座に設置されていて、モーターギアセットは高さ調整螺旋ガイドポールへつながっており、モーターギアセットが高さ調整螺旋ガイドポールを駆動し旋回させることにより、ボトムの床からの高さが調整でき、第一連動バーユニットと第二連動バーユニットと第三連動バーユニットと第四連動バーユニットと第一スライダー及び第二スライダーの同時の動作により、ヘッドボードの床からの高さも同時に調整可能に構成されていることを特徴とする、超低式電動健康べッドを提供する。
本願の第８考案は、前記第６考案において、前記ボトムは少なくとも一つの調整可能なボードと一つの旋回バーと一つのモーターとを含み、前記調整可能なボードは少なくとも一つのガイドと一軸部があり、軸部はボトムにつながっていて、調整可能なボードが軸部を中心に旋回できるようになっていて、前記旋回バーの一端には一つのローラーがあり、この旋回バーのもう一端には一つの旋回軸部と一つのギアがあり、この旋回軸部はボトムにつながっており、旋回バーが旋回軸部を中心に旋回できるようになっており、前記モーターはボトムの凹陷部に設置してあり、このモーターは一つのモーターギアにより旋回バーにあるギアを駆動することで、回バーが旋回軸部を中心に旋回し、旋回バーにあるローラーにより調整可能なボードのガイドが持ち上げられて、ボードの傾斜角度が調整可能に構成されていることを特徴とする、超低式電動健康べッドを提供する。
本願の第９考案は、前記第８考案において、前記ギアがウオームホイールであることを特徴とする、超低式電動健康べッドを提供する。
本願の第１０考案は、前記第８考案において、前記モーターギアがウオームギアであることを特徴とする、超低式電動健康べッドを提供する。
【考案の効果】
【０００５】
本考案は、使用者がベッド上で傾斜角度を調整でき、しかも極度な低さまで調整でき、ベッドから床に落ちても大きなけがをしない健康ベッドを提供することができる。
【考案を実施するための最良の形態】
【０００６】
以下に図面を参照しながら本考案の最良の実施の形態に係る超低式電動健康べッド１００について説明する。
図１は本考案に係る超低式電動健康べッド１００の側面略図を示している。
超低式電動健康べッド１００は、主に一つのボトム１１０と、一つのヘッドボード１２０と、一つのフットボード１３０と、一つのヘッドボード座１４０と、一つのフットボード座１５０及び二組の高さ調整装置１６０を含む。
【０００７】
ボトム１１０はヘッドボード１２０及びフットボード１３０の下側に設置されている。
ヘッドボード１２０はヘッドボード座１４０の一つのガイド１４１の上にかぶせてある。
ヘッドボード１２０はヘッドボード座１４０のガイド１４１に沿ってすべるようになっている。
一つの高さ調整装置１６０はヘッドボード１２０とヘッドボード座１４０の間に設置されている。
フットボード座１５０はヘッドボード座１４０と相対する位置に設置されている。
フットボード座１５０には一つのガイド１５１がある。
【０００８】
フットボード１３０はガイド１５１の上にかぶせてあり、フットボード１３０はフットボード座１５０のガイド１５１に沿ってすべり、一つの高さ調整装置１６０はフットボード１３０とフットボード座１５０の間に設置されている。
【０００９】
二組の高さ調整装置１６０の調整によって、ボトム１１０の床からの高さを変えられる。
それから二組の高さ調整装置１６０は同時に動き、ボトム１１０の床からの高さの調整時も、ボトム１１０を床と平行に保つことができる。
【００１０】
図２Ａは図１中の高さ調整装置１６０をあらわしたる略図である。
高さ調整装置１６０は一つの連動バーユニット１６１と、一つの第一螺旋ガイドポール１６２と、一つの第二螺旋ガイドポール１６４及び一モーターギアセット１６８を含んでいる。
連動バーユニット１６１は第一連動バー１６１１と、第二連動バー１６１２と、第三連動バー１６１３及び第四連動バー１６１４からなっている。
第一連動バー１６１１と第二連動バー１６１２の上端はそれぞれヘッドボード１２０とつながっており、第一連動バー１６１１と第二連動バー１６１２の下端はそれぞれ下方の第三連動バー１６１３と第四連動バー１６１４の二つの対応する端とつながっている。
第三連動バー１６１３と第四連動バー１６１４の下端はそれぞれヘッドボード座１４０上方に付いている。
【００１１】
第一連動バー１６１１と第三連動バー１６１３の結合部分には一つの第一スライダー１６１５が付いていて、第一スライダー１６１５に一つの第一螺旋ホール（図中に示さず）がある。
第二連動バー１６１２と第四連動バー１６１４の結合部分には一つの第二スライダー１６１６が付いている。
第二スライダー１６１６には一つの第二螺旋ホールがある（図中に示さず）。
例えば第一螺旋ホールが右螺旋の時には、第二螺旋ホールは左螺旋のように、第二螺旋ホールは第一螺旋ホールと反対方向の螺旋が切ってある。
【００１２】
第一螺旋ガイドポール１６２は、螺旋部分は第一スライダー１６１５の第一螺旋ホールを通してある。
第一螺旋ガイドポール１６２、第一螺旋ホールと反対方向の螺旋が切ってある。
第二螺旋ガイドポール１６４は、螺旋部分は第二スライダー１６１６の第二螺旋ホールを通してある。
第二螺旋ガイドポール１６４は第二螺旋ホールと同じ方向の螺旋が切ってある。
第二螺旋ガイドポール１６４は第一螺旋ガイドポール１６２と反対方向の螺旋が切ってある。
【００１３】
モーターギアセット１６８は第一螺旋ガイドポール１６２と第二螺旋ガイドポール１６４を同時に駆動できる。これにより、第一スライダー１６１５と第二スライダー１６１６がそれぞれ第一螺旋ガイドポール１６２と第二螺旋ガイドポール１６４上を移動し、ボトム１１０の床からの高さが変わる。
【００１４】
図２Ｂのように、モーターギアセット１６８が第一螺旋ガイドポール１６２と第二螺旋ガイドポール１６４を同時に駆動することにより、第一スライダー１６１５と第二スライダー１６１６がそれぞれ第一螺旋ガイドポール１６２と第二螺旋ガイドポール１６４上を移動し、ボトム１１０の床からの高さが変わる。
本例においては、ボトム１１０を最低位置まで調整したとき、ボトム１１０とマットを合わせて、マット最上部の床からの高さは約１５センチである。
【００１５】
図３Ａのように、ボトム１１０は更に少なくとも一つの調整可能なボード１１１と、一つの旋回バー１１２及び一つのモーター１１３を含んでいる。
この調整可能なボード１１１は、少なくとも一つのガイド１１１１及び一つの軸部１１１２がある。
軸部１１１２はボトム１１０とつながっており、調整可能なボード１１１が軸部１１１２を中心に旋回する。
【００１６】
この旋回バー１１２は一つのローラー１１２１があり、反対側の端には一つの軸部１１２２及び一つのギア１１２３がある。
軸部１１２２はボトム１１０とつながっており、旋回バー１１２が軸部１１２２を中心に旋回する。
【００１７】
このモーター１１３はボトム１１０の一つのくぼんだ部分に設置されており、ボトム１１０から出ておらず空間が有効に使われていて外観に影響しない。
このモーター１１３はモーターギア１１３１により旋回バー１１２に付いているギア１１２３を駆動し、旋回バー１１２が軸部１１２２を中心に旋回し、旋回バー１１２についているローラー１１２１により調整可能なボード１１１のガイド１１１１が持ち上げられ、調整可能なボード１１１の傾斜角度を調整することができる。
【００１８】
図３Ｂのように、モーター１１３により旋回バー１１２についているギア１１２３を駆動し、調整可能なボード１１１の傾斜角度を調整することができる。
本例においては、ギア１１２３はウオームホイールを使用し、モーターギア１１３１はウオームギアを使用した場合を示すが、本伶に限定されるものではない。
【００１９】
本考案に係る超低式電動健康べッドは、使用者が一つのコントローラーにより、前述のモーター１１３の動作をコントロールしてベッドの上で傾斜角度を調整することができて、楽な仰向けの姿勢や食事を取ったり読書をするのに適した姿勢をとることができるだけでなく、ボトムの高さを極度に低い高さに調整できる。
本考案ではボトムの高さを約１５センチにできるから、使用者がベッド上から床に落ちても大きなけがをすることがない。
【００２０】
図４は本考案のもうひとつの実施の形態に係る超低式電動健康べッド２００の側面略図である。
本例に係る超低式電動健康べッド２００主に一つのボトム２１０と、一つのヘッドボード２２０と、一つのフットボード２３０と、一つのヘッドボード座２４０と、一つのフットボード座２５０及び二組の高さ調整装置２６０を含んでいる。
【００２１】
ボトム２１０はヘッドボード座２４０のガイド２４１とフットボード座２５０のガイド２５１の上にかぶせてあり、ボトム２１０はガイド２４１とガイド２５１に沿って移動し、それからヘッドボード２２０とフットボード２３０はそれぞれボトム２１０のガイド２１１の上にかぶせてある。
【００２２】
ヘッドボード２２０とフットボード２３０はガイド２１１に沿って移動する。
一つの高さ調整装置２６０はヘッドボード座２４０とボトム２１０及びヘッドボード２２０の間に設置されている。
もう一つの高さ調整装置２６０はフットボード座２５０とボトム２１０及びフットボード２３０の間に設置されていている。
【００２３】
前述した二組の高さ調整装置２６０の調整により、ボトム２１０の床からの高さが変えられ、しかも同時にヘッドボード２２０とフットボード２３０の高さが調整することができる。
そのほか、前述の二組の高さ調整装置２６０は同時に動き、ボトム２１０の床からの高さの調整時にも、ボトム２１０を床と平行に保つことができる。
【００２４】
図５Ａは図４中の高さ調整装置２６０の略図である。
高さ調整装置２６０は一つの第一連動バーユニット２６１と、一つの第二連動バーユニット２６２と、一つの第三連動バーユニット２６３と、一つの第四連動バーユニット２６４と、一つの第一スライダー２６５と、一つの第二スライダー２６６と、一つの高さ調整螺旋ガイドポール２６７及び一つのモーターギアセット２６８以下のものを含んでいる。
【００２５】
第一スライダー２６５と第二スライダー２６６はボトム２１０の一つのガイドバー２１２の上にかぶせてあり、第一スライダー２６５と第二スライダー２６６はガイドバー２１２に沿って移動し、第一スライダー２６５とガイドバー２１２の間及び第二スライダー２６６とガイドバー２１２の間にリニアベアリング（スライドレール）をつけると、第一スライダー２６５と第二スライダー２６６の動きをガイドし、摩擦を減らすことができる。
尚、リニアベアリングは省略される場合がある。
【００２６】
第一連動バーユニット２６１はヘッドボード座２４０とボトム２１０の間をつないでおり、第一連動バーユニット２６１は第一連動バー２６１１及び第二連動バー２６１２からできており、第一連動バー２６１１の上端は第一スライダー２６５とつながっており、第一連動バー２６１１の下端はヘッドボード座２４０とつながっており、第二連動バー２６１２の上端はボトム２１０とつながっており、第二連動バー２６１２の下端則は第一連動バー２６１１とつながっている。
【００２７】
第二連動バーユニット２６２もヘッドボード座２４０とボトム２１０の間をつないでおり、第二連動バーユニット２６２は第一連動バー２６２１及び第二連動バー２６２２からできており、第一連動バー２６２１の上端は第二スライダー２６６につながっており、第一連動バー２６２１の下端はヘッドボード座２４０とつながっており、第二連動バー２６２２の上端はボトム２１０とつながっており、第二連動バー２６２２の下端は第一連動バー２６２１とつながっている。
【００２８】
第三連動バーユニット２６３はヘッドボード２２０とボトム２１０の間をつないでおり、第三連動バーユニット２６３は第一連動バー２６３１及び第二連動バー２６３２からできており、第一連動バー２６３１の上端はヘッドボード２２０につながっており、第一連動バー２６３１の下端は第一スライダー２６５につながっており、第二連動バー２６３２の上端は第一連動バー２６３１につながっており、第二連動バー２６１２の下端則はボトム２１０につながっている。
【００２９】
第四連動バーユニット２６４もヘッドボード２２０とボトム２１０の間をつないでおり、第四連動バーユニット２６４は第一連動バー２６４１及び第二連動バー２６４２からできており、第一連動バー２６４１の上端はヘッドボード２２０につながっており、第一連動バー２６４１の下端は第二スライダー２６６につながっており、第二連動バー２６４２の上端は第一連動バー２６４１につながっており、第二連動バー２６４２の下端はボトム２１０につながっている。
【００３０】
高さ調整螺旋ガイドポール２６７はボトム２１０のガイドバー２１２の一つの螺旋ホール（図中に示さず）を突き抜けるように取り付けてあり、モーターギアセット２６８はヘッドボード座２４０上に設置されていて、モーターギアセット２６８は高さ調整螺旋ガイドポール２６７につながっている。
【００３１】
高さ調整螺旋ガイドポール２６７を駆動して旋回させると、このモーターギアセット２６８が高さ調整螺旋ガイドポール２６７を駆動して旋回させることにより、ボトム２１０の床からの高さが調整できる。
それと同時に第一連動バーユニット２６１、第二連動バーユニット２６２、第三連動バーユニット２６３、第四連動バーユニット２６４、第一スライダー２６５及び第二スライダー２６６の同時動作により、ヘッドボード２２０の床からの高さが調整できる。
【００３２】
図５Ｂのように、モーターギアセット２６８が高さ調整螺旋ガイドポール２６７を駆動し、ボトム２１０の床からの高さが高くなれば、第一スライダー２６５と第二スライダー２６６が第一連動バーユニット２６１と第二連動バーユニット２６２の動作により外側に移動する。
【００３３】
さらに第一スライダー２６５と第二スライダー２６６が第三連動バーユニット２６３と第四連動バーユニット２６４を動かすことにより、ヘッドボード２２０を上方に移動させ、ヘッドボード２２０の床からの高さが高くなる。
ヘッドボード２２０上には物を置くスペースやその他の物を作るであろうから、ボトム２１０の床からの高さが変わるとき、ヘッドボード２２０の床からの高さが同時に変わり、ボトム２１０が物を置くスペースやその他の物とぶつかるのを防ぐことができる。
【００３４】
高さ調整装置２６０はフットボード座２５０とボトム２１０とフットボード２３０の間にあり、その動作については前述したヘッドボード座２４０とボトム２１０とヘッドボード２２０の間にある高さ調整装置２６０と同じであるのでその説明を省略する。
本例のボトム２１０に図３Ａに示した調整可能なボードがあってもよい。
【００３５】
本考案は上述した実施の形態に限定されるものではなく、本考案を逸脱しない程度の置換や変更はすべて本考案に含まれるものである。
【図面の簡単な説明】
【００３６】
【図１】本考案の一つの好適な実施の形態に係る超低式電動健康べッドの側面略図
【図２Ａ】図１に示した高さ調整装置の略図
【図２Ｂ】図２Ａ中の高さ調整装置の調整操作の略図
【図３Ａ】図１中のボトムの調整可能なボードの略図
【図３Ｂ】図２Ａ中の調整可能なボードの調整操作中の略図
【図４】本考案の他の好適な実施の形態に係る超低式電動健康べッドの側面略図
【図５Ａ】図４中の高さ調整装置の略図
【図５Ｂ】図５Ａ中の高さ調整装置の調整操作略図
【符号の説明】
【００３７】
１００            超低式電動健康べッド
１１１            調整可能なボード
１１２            旋回バー
１１３            モーター
１１０            ボトム
１２０            ヘッドボード
１３０            フットボード
１４０            ヘッドボード座
１４１            ガイド
１５０            フットボード座
１５１            ガイド
１６０            高さ調整装置
１６１            連動バーユニット
１６２            第一螺旋ガイドポール
１６４            第二螺旋ガイドポール
１６８            モーターギアセット
１１１１          ガイド
１１１２          軸部
１１２２          ローラー
１１２２          旋回軸部
１１２３          ギア
１６１１          第一連動バー
１６１２          第二連動バー
１６１３          第三連動バー
１６１４          第四連動バー
１６１５          第一スライダー
１６１６          第二スライダー
２００            超低式電動健康べッド
２１０            ボトム
２１１            ガイド
２１２            ガイドバー
２２０            ヘッドボード
２３０            フットボード
２４０            ヘッドボード座
２４１            ガイド
２５０            フットボード座
２５１            ガイド
２６０            高さ調整装置
２６１            第一連動バーユニット
２６２            第二連動バーユニット
２６３            第三連動バーユニット
２６４            第四連動バーユニット
２６５            第一スライダー
２６６            第二スライダー
２６７            高さ調整螺旋ガイドポール
２６８            モーターギアセット
２６１１          第一連動バー
２６１２          第二連動バー
２６２１          第一連動バー
２６２２          第二連動バー
２６３１          第一連動バー
２６３２          第二連動バー
２６４１          第一連動バー
２６４２          第二連動バー
【図１】
0003130840.tif 000003
【図２Ａ】
0003130840.tif 000004
【図２Ｂ】
0003130840.tif 000005
【図３Ａ】
0003130840.tif 000006
【図３Ｂ】
0003130840.tif 000007
【図４】
0003130840.tif 000008
【図５Ａ】
0003130840.tif 000009
【図５Ｂ】
0003130840.tif 000010